(57)【要約】  リターゲティング等といった広告の再配信を効果的に行う。  広告管理プログラムは、商品又はサービスに関する情報を提供する情報提供サイトにアクセスするユーザ端末から、ユーザ情報を取得するユーザ情報取得部と、ユーザ情報に基づき、ユーザを複数のセグメントのうちのいずれかに分類する分類部と、を備える。また、広告管理プログラムは、ユーザのセグメントに基づき、所定の媒体サーバに対応して設けられた複数の媒体タグのうちのいずれかを選択する選択部と、選択された媒体タグをユーザ端末に提供する媒体タグ提供部と、を備える。そして、媒体タグには、対応する媒体サーバがユーザ端末に広告を再配信するための処理が記述されている。
2015170372.tif 000002
【特許請求の範囲】
【請求項１】
商品又はサービスに関する情報を提供する情報提供サイトにアクセスするユーザ端末から、該ユーザ端末のユーザに関するユーザ情報を取得するユーザ情報取得部と、
前記ユーザ情報に基づき、前記ユーザを複数のセグメントのうちのいずれかに分類する分類部と、
前記ユーザが分類された前記セグメントに基づき、予め定められた媒体サーバに対応して設けられた複数の媒体タグの中から１又は複数の前記媒体タグを選択する選択部と、
前記選択部により選択された前記媒体タグを、前記ユーザ端末に提供する媒体タグ提供部として、
コンピュータを動作させ、
前記媒体タグには、対応する前記媒体サーバが、前記情報提供サイト以外の他のサイトにアクセスした前記ユーザ端末に対し、前記ユーザが該情報提供サイトにて閲覧した前記商品又はサービスに関する広告を再配信するための処理が記述されていること、
を特徴とする広告管理プログラム。
【請求項２】
請求項１に記載の広告管理プログラムにおいて、
前記ユーザ情報には、前記情報提供サイトに関しての前記ユーザの行動情報が含まれており、
前記分類部は、前記ユーザ情報に含まれる前記行動情報に基づき、前記ユーザをいずれかの前記セグメントに分類すること、
を特徴とする広告管理プログラム。
【請求項３】
請求項２に記載の広告管理プログラムにおいて、
前記広告管理プログラムは、
前記ユーザ情報に含まれる前記行動情報に基づき、複数の観点から、前記情報提供サイトに関しての前記ユーザの行動特性を判別する判別部として、
さらにコンピュータを動作させ、
それぞれの前記観点の前記行動特性は、２以上の区分に区分けされ、前記セグメントは、２又は３の前記観点の前記行動特性の各々における前記区分の組み合わせに対応して設けられており、
前記分類部は、それぞれの前記観点の前記行動特性が属する前記区分に基づき、前記ユーザを、いずれかの前記セグメントに分類すること、
を特徴とする広告管理プログラム。
【請求項４】
請求項２又は請求項３に記載の広告管理プログラムにおいて、
前記広告管理プログラムは、
前記ユーザ端末にて前記情報提供サイトへのアクセスに応じて更新された前記行動情報を、該ユーザ端末から取得する行動情報取得部と、
前記行動情報取得部が取得した前記行動情報を記憶させる行動情報記憶部と、
前記行動情報記憶部により記憶された前記行動情報に基づき、前記情報提供サイトに関しての前記ユーザの行動に関する情報を生成する生成部として、
さらにコンピュータを動作させることを特徴とする広告管理プログラム。
【請求項５】
請求項４に記載の広告管理プログラムにおいて、
前記行動情報記憶部は、さらに、前記ユーザが分類された前記セグメントを示す適用情報を記憶させ、
前記生成部は、さらに、前記行動情報記憶部により記憶された前記適用情報に基づき、前記分類部による分類結果に関する情報を生成すること、
を特徴とする広告管理プログラム。
【請求項６】
請求項１から請求項５のうちのいずれか１項に記載の広告管理プログラムにおいて、
前記選択部は、前記ユーザが分類された前記セグメントの推移に基づき、前記媒体タグを選択すること、
を特徴とする広告管理プログラム。
【請求項７】
商品又はサービスに関する情報を提供する情報提供サイトにアクセスするユーザ端末から、該ユーザ端末のユーザに関するユーザ情報を取得するユーザ情報取得部と、
前記ユーザ情報に基づき、前記ユーザを複数のセグメントのうちのいずれかに分類する分類部と、
前記ユーザが分類された前記セグメントに基づき、予め定められた媒体サーバに対応して設けられた複数の媒体タグの中から１又は複数の前記媒体タグを選択する選択部と、
前記選択部により選択された前記媒体タグを、前記ユーザ端末に提供する媒体タグ提供部と、を備え、
前記媒体タグには、対応する前記媒体サーバが、前記情報提供サイト以外の他のサイトにアクセスした前記ユーザ端末に対し、前記ユーザが該情報提供サイトにて閲覧した前記商品又はサービスに関する広告を再配信するための処理が記述されていること、
を特徴とする広告管理サーバ。
【発明の詳細な説明】
【技術分野】
【０００１】
本発明は、ネットワークを介した広告の提供を管理する広告管理プログラム等に関する。
【背景技術】
【０００２】
従来、ユーザがショッピングサイト等を訪問した際に、該ユーザが他のサイトで過去に閲覧した商品やサービスに関する広告を再配信するリターゲティングと呼ばれる広告手法が知られている。【０００３】
また、リターゲティング等の対象となるユーザとウェブページへのアクセス傾向が類似するユーザを特定し、このようなユーザに対し、リターゲティングの対象となるユーザと同様にしてリターゲティングを行うことが提案されている（特許文献１）。
【先行技術文献】
【特許文献】
【０００４】
【特許文献１】特開２０１２−９４０９７号公報
【発明の概要】
【発明が解決しようとする課題】
【０００５】
しかしながら、リターゲティングを行うことにより同じ商品やサービスに関する広告が繰り返し配信されてしまう場合があり、その結果、ユーザに飽きられ、十分な効果が得られない可能性がある。【０００６】
さらに、商品等に対し強い興味を持つユーザや、商品等の購入についての検討が十分に進んだユーザ等に対し、集中的に広告配信するのが好適であるが、リターゲティングは、ユーザの行動のみに着目して行われる。このため、リターゲティングを行っても、このようなユーザに対し集中的に広告配信することができず、十分な宣伝効果が得られないという問題があった。【０００７】
本願発明は、リターゲティング等といった広告の再配信を効果的に行うことができる広告管理プログラム等を提供する。
【課題を解決するための手段】
【０００８】
本発明の一局面は、商品又はサービスに関する情報を提供する情報提供サイトにアクセスするユーザ端末から、該ユーザ端末のユーザに関するユーザ情報を取得するユーザ情報取得部と、ユーザ情報に基づき、ユーザを複数のセグメントのうちのいずれかに分類する分類部と、ユーザが分類されたセグメントに基づき、予め定められた媒体サーバに対応して設けられた複数の媒体タグの中から１又は複数の媒体タグを選択する選択部と、選択部により選択された媒体タグを、ユーザ端末に提供する媒体タグ提供部として、コンピュータを動作させ、媒体タグには、対応する媒体サーバが、情報提供サイト以外の他のサイトにアクセスしたユーザ端末に対し、ユーザが該情報提供サイトにて閲覧した商品又はサービスに関する広告を再配信するための処理が記述されていること、を特徴とする広告管理プログラムに関するものである。【０００９】
このような構成によれば、情報提供サイトにアクセスしたユーザ端末には、ユーザのセグメントに応じた媒体サーバによる広告の再配信（例えば、リターゲティング）を行うための処理が記述された媒体タグが送信される。【００１０】
このため、ユーザ端末にて受信した媒体タグが実行されると、ユーザに合致した媒体サーバにより広告の再配信が行われ、その結果、広告の再配信を効果的に行うことができる。【００１１】
また、上記広告管理プログラムにおいて、ユーザ情報には、情報提供サイトに関してのユーザの行動情報が含まれており、分類部は、ユーザ情報に含まれる行動情報に基づき、ユーザをいずれかのセグメントに分類しても良い。【００１２】
こうすることにより、より確実に、ユーザに適した媒体サーバにより広告の再配信が行われるようになる。
また、上記広告管理プログラムにおいて、ユーザ情報に含まれる行動情報に基づき、複数の観点から、情報提供サイトに関してのユーザの行動特性を判別する判別部として、さらにコンピュータを動作させ、それぞれの観点の行動特性は、２以上の区分に区分けされ、セグメントは、２又は３の観点の行動特性の各々における区分の組み合わせに対応して設けられており、分類部は、それぞれの観点の行動特性が属する区分に基づき、ユーザを、いずれかのセグメントに分類しても良い。【００１３】
こうすることにより、各行動特性に対応する座標軸を有する座標平面又は座標空間により、セグメントを表現することができる。すなわち、座標平面又は座標空間を構成する各座標軸上で、対応する行動特性の各区分を、一定の範囲を有する区間として表現すると共に、各座標軸上の各々の区間により特定される２次元又は３次元の領域を、セグメントとすることができる。【００１４】
このようにしてセグメントを表現することで、どのようにしてユーザを複数のセグメントに分類するかを直感的に把握することができ、セグメントの設定を容易且つ適切に行うことが可能となる。【００１５】
また、上記広告管理プログラムにおいて、ユーザ端末にて情報提供サイトへのアクセスに応じて更新された行動情報を、該ユーザ端末から取得する行動情報取得部と、行動情報取得部が取得した行動情報を記憶させる行動情報記憶部と、行動情報記憶部に記憶されている行動情報に基づき、情報提供サイトに関してのユーザの行動に関する情報を生成する生成部として、さらにコンピュータを動作させても良い。【００１６】
こうすることにより、情報提供サイトの管理者等は、例えば、情報提供サイトを訪れたユーザの性質や、ユーザが情報提供サイトを訪れた際に取った行動の傾向等を把握することが可能となる。【００１７】
また、上記広告管理プログラムにおいて、行動情報記憶部は、さらに、ユーザが分類されたセグメントを示す適用情報を記憶し、生成部は、さらに、行動情報記憶部に記憶されている適用情報に基づき、分類部による分類結果に関する情報を生成しても良い。【００１８】
こうすることにより、情報提供サイトの管理者等は、例えば、各セグメントに分類されたユーザがどの程度存在するかや、情報提供サイトを訪れるユーザのセグメントが推移する傾向等を把握することが可能となる。【００１９】
また、上記広告管理プログラムにおいて、選択部は、ユーザが分類されたセグメントの推移に基づき、媒体タグを選択しても良い。
こうすることにより、情報提供サイトを訪れたユーザの行動の変化に応じて、媒体タグが決定される。このため、より確実に、ユーザに適した媒体タグに対応する媒体サーバにより広告の再配信が行われるようになる。【００２０】
なお、本発明は、上記広告管理プログラムの他、上記広告管理プログラムにより動作するコンピュータと同様の機能を有する広告管理サーバ、上記広告管理プログラムを記録した記録媒体、上記広告管理プログラムに対応する制御方法など、種々の形態で実現することができる。
【図面の簡単な説明】
【００２１】
【図１】広告管理サーバやユーザ端末等についてのブロック図である。
【図２】ユーザ端末の構成を示すブロック図である。
【図３】タグ配信サーバの構成を示すブロック図である。
【図４】管理画面サーバの構成を示すブロック図である。
【図５】集計サーバの構成を示すブロック図である。
【図６】媒体タグ送信処理のフローチャートである。
【図７】非購入ユーザに適用されるセグメントについての説明図である。
【図８】購入ユーザに適用されるセグメントについての説明図である。
【図９】セグメント更新処理のフローチャートである。
【図１０】レポート生成処理のフローチャートである。
【符号の説明】
【００２２】
１…インターネット、２…広告管理サーバ、１０…ユーザ端末、１１…通信部、１２…記憶部、１３…制御部、１４…表示部、１５…操作部、１６…記憶媒体、２０…タグ配信サーバ、２１…通信部、２２…記憶部、２３…制御部、２４…表示部、２５…操作部、２６…記憶媒体、３０…管理画面サーバ、３１…通信部、３２…記憶部、３３…制御部、３４…表示部、３５…操作部、３６…記憶媒体、４０…集計サーバ、４１…通信部、４２…記憶部、４３…制御部、４４…表示部、４５…操作部、４６…記憶媒体、５０…セグメントＤＢ、６０…媒体タグＤＢ、７０…レポート用ＤＢ、８０…媒体サーバ、９０…販売サーバ。
【発明を実施するための形態】
【００２３】
以下、本発明の実施形態について図面を用いて説明する。なお、本発明の実施の形態は、下記の実施形態に何ら限定されることはなく、本発明の技術的範囲に属する限り種々の形態を採りうる。
【００２４】
［構成の説明］
図１は、本実施形態の広告管理サーバ２と、インターネット１等の通信網を介して広告管理サーバ２に接続された１又は複数のユーザ端末１０を示すブロック図である。
【００２５】
ユーザ端末１０は、例えば、ＰＣやタブレット端末やスマートフォン等として構成されており、インターネット１を介して、１又は複数の媒体サーバ８０や販売サーバ９０等にアクセス可能となっている。
【００２６】
媒体サーバ８０は、各種広告を提供しており、広告媒体となっている媒体サイトを運営するサーバである。この媒体サイトは、例えば、ポータルサイトや、検索サイトや、商品又はサービスの販売等を行うショッピングサイト等として構成されていても良い。
【００２７】
販売サーバ９０は、例えば、商品又はサービスを販売するショッピングサイト等を運営するサーバである。
一方、広告管理サーバ２は、タグ配信サーバ２０と、管理画面サーバ３０と、集計サーバ４０と、セグメントＤＢ５０と、媒体タグＤＢ６０と、レポート用ＤＢ７０等から構成されている。これらは、例えばＰＣ等として構成されていると共に、図示しないＬＡＮにより接続されており、互いに通信可能となっている。
【００２８】
そして、ユーザ端末１０は、通信部１１，記憶部１２，制御部１３，表示部１４，操作部１５等を備える（図２参照）。
通信部１１は、インターネット１にアクセスするための部位であり、インターネット１を介して、広告管理サーバ２等のサーバと通信を行う。
【００２９】
また、記憶部１２は、ＨＤＤ等といった記憶保持動作が不要なデバイスから構成されている。
また、制御部１３は、ＣＰＵ，ＲＯＭ，ＲＡＭ，Ｉ／Ｏ及びこれらを接続するバスライン等からなるコンピュータ等から構成され、ＲＡＭにロードされたプログラム等に従い動作する。
【００３０】
また、表示部１４は、液晶ディスプレイ等として構成され、各種情報を表示する部位であり、操作部１５は、キーボードやマウス等として構成され、各種操作を受け付ける部位である。
【００３１】
ユーザ端末１０には、ＣＤ−ＲＯＭ，ＵＳＢメモリ，メモリカード（登録商標）等の光ディスク，磁気ディスク，半導体製メモリ等として構成された記憶媒体に記憶された状態で提供されるブラウザがインストールされている。無論、ブラウザは、インターネット１から提供されても良い。
【００３２】
そして、記憶部１２には、ユーザ端末１０にインストールされたブラウザとして動作するプログラムが記憶されている。ブラウザは、Ｃｏｏｋｉｅ機能を備えており、記憶部１２には、Ｃｏｏｋｉｅ機能により保存される情報（Ｃｏｏｋｉｅ１２ａと記載）が記憶されている。
【００３３】
また、タグ配信サーバ２０は、ユーザ端末１０と同様の通信部２１，記憶部２２，制御部２３，表示部２４，操作部２５等を備える（図３参照）。
タグ配信サーバ２０には、ＣＤ−ＲＯＭ，ＵＳＢメモリ，メモリカード（登録商標）等の光ディスク，磁気ディスク，半導体製メモリ等として構成された記憶媒体２６に記憶された状態で提供されるタグ配信サーバ用アプリ（詳細は後述する）がインストールされている。無論、タグ配信サーバ用アプリは、インターネット１から提供されても良い。
【００３４】
そして、記憶部２２には、タグ配信サーバ２０にインストールされたタグ配信サーバ用アプリとして動作するプログラムが記憶されている。
また、管理画面サーバ３０は、ユーザ端末１０と同様の通信部３１，記憶部３２，制御部３３，表示部３４，操作部３５等を備える（図４参照）。
【００３５】
管理画面サーバ３０には、ＣＤ−ＲＯＭ，ＵＳＢメモリ，メモリカード（登録商標）等の光ディスク，磁気ディスク，半導体製メモリ等として構成された記憶媒体３６に記憶された状態で提供される管理画面サーバ用アプリ（詳細は後述する）がインストールされている。無論、管理画面サーバ用アプリは、インターネット１から提供されても良い。
【００３６】
そして、記憶部３２には、管理画面サーバ３０にインストールされた管理画面サーバ用アプリとして動作するプログラムが記憶されている。
また、集計サーバ４０は、ユーザ端末１０と同様の通信部４１，記憶部４２，制御部４３，表示部４４，操作部４５等を備える（図５参照）。
【００３７】
集計サーバ４０には、ＣＤ−ＲＯＭ，ＵＳＢメモリ，メモリカード（登録商標）等の光ディスク，磁気ディスク，半導体製メモリ等として構成された記憶媒体４６に記憶された状態で提供される集計サーバ用アプリ（詳細は後述する）がインストールされている。無論、集計サーバ用アプリは、インターネット１から提供されても良い。
【００３８】
そして、記憶部４２には、集計サーバ４０にインストールされた集計サーバ用アプリとして動作するプログラムが記憶されている。
また、セグメントＤＢ５０，媒体タグＤＢ６０，レポート用ＤＢ７０や、媒体サーバ８０や販売サーバ９０は、タグ配信サーバ２０等と同様に構成されている。
【００３９】
［動作の説明］
次に、広告管理サーバ２の動作について説明する。
ユーザが媒体サイトや、媒体サイトが広告を配信しているサイト等を訪れた際に、該ユーザが他のショッピングサイト等で過去に閲覧した商品やサービスに関する広告を再度配信するリターゲティングと呼ばれる広告手法が知られている。
【００４０】
広告管理サーバ２は、媒体サイトを運営する媒体サーバ８０が、販売サーバ９０が運営するショッピングサイトにアクセスしたユーザ端末１０に対し広告の再配信（例えば、リターゲティング）を行うための処理を行う。
【００４１】
（１）媒体タグ送信処理について
まず、広告管理サーバ２を構成するタグ配信サーバ２０が、ユーザ端末１０に対して媒体タグを送信し、媒体サーバ８０に広告の再配信を行わせる媒体タグ送信処理について、図６のフローチャートを用いて説明する。
【００４２】
なお、以下では、ユーザ端末１０やタグ配信サーバ２０等にインストールされたプログラムが処理を行うといった記載がなされているが、これは、該プログラムに従い動作する制御部が処理を行うということを意味する。
【００４３】
Ｓ１００では、ユーザから受け付けた操作に応じてユーザ端末１０から販売サーバ９０へのアクセスがなされ、ブラウザに、販売サーバ９０が運営するショッピングサイトが表示される。
【００４４】
当該ショッピングサイトのＷｅｂページには、例えばＪａｖａＳｃｒｉｐｔ（登録商標）により処理が記述された１又は複数のタグが埋め込まれている。このようなタグの１つとして、タグ配信サーバ２０に対し、ユーザ端末１０への管理タグ（ユーザ端末１０のユーザに関するユーザ情報を、タグ配信サーバ２０に送信する処理が記述されたタグ）の送信を要求する送信要求タグが埋め込まれている。
【００４５】
ブラウザは、当該ショッピングサイトを表示する際に送信要求タグを実行し、タグ配信サーバ２０に対し管理タグの送信を要求する。
なお、このほかにも、販売サーバ９０からタグ配信サーバ２０に対し、ショッピングサイトにアクセスしたユーザ端末１０への管理タグの送信を要求する構成としても良い。
【００４６】
Ｓ１０５では、タグ配信サーバ２０のタグ配信サーバ用アプリは、管理タグの送信要求に応じてユーザ端末１０に管理タグを送信する。
Ｓ１１０では、ユーザ端末１０のブラウザは、受信した管理タグを実行し、これにより、ユーザ情報が生成されると共に（Ｓ１１５）、該ユーザ情報がタグ配信サーバ２０に送信される（Ｓ１２０）。
【００４７】
ユーザ情報には、例えば、ユーザ端末１０の識別情報（例えば、リファラＵＲＬやロケーションＵＲＬ等）や、ユーザエージェントや、当該ショッピングサイトに関する各種情報等が含まれる。
【００４８】
また、このほかにも、ユーザ情報には、当該ショッピングサイトに関するユーザの行動情報が含まれている。この行動情報としては、例えば、当該ショッピングサイトにアクセスした際に用いられたＵＲＬパラメータや、当該ショッピングサイトの初回訪問日からの経過日数や、累積訪問回数や、初回購入日からの経過日数や、累積購入回数や、累積購入金額や、累積ＰＶ数等が考えられる。また、これ以外にも、当該ショッピングサイトの初回訪問時期や、前回訪問時期や、商品やサービスの購入時期等が考えられる。
【００４９】
これらの情報は、例えば、ブラウザがアクセスしたＵＲＬの履歴情報や、Ｃｏｏｋｉｅ１２ａや、当該ショッピングサイトのＨＴＭＬ文書や、該ＨＴＭＬ文書に埋め込まれたＪａｖａＳｃｒｉｐｔの変数等に基づき生成される。
【００５０】
なお、ブラウザは、ユーザ情報をタグ配信サーバ２０に送信する際、ユーザ情報をＵＲＬパラメータに連結して送信しても良い。
Ｓ１２５では、タグ配信サーバ２０のタグ配信サーバ用アプリは、受信したユーザ情報に基づき、ユーザ端末１０のユーザに適用するセグメントを決定する。
【００５１】
具体的には、タグ配信サーバ用アプリは、ユーザ情報に基づき、ユーザを、当該ショッピングサイトで商品等を購入していない非購入ユーザと、当該ショッピングサイトで商品等を購入した購入ユーザとに分類する。
【００５２】
そして、非購入ユーザに関しては、ユーザ情報に基づき、一例として、“初回訪問時からの経過日数”と、“当該ショッピングサイトへのＰＶ数（閲覧回数）”と、“直近７日間における訪問の有無”という、３つの観点で当該ショッピングサイトに関する行動特性が特定される。
【００５３】
一方、購入ユーザに関しては、ユーザ情報に基づき、一例として、“初回購入時からの経過日数”と、“当該ショッピングサイトでの累積購入金額”と、“直近６日間における購入の有無”という、３つの観点で当該ショッピングサイトに関する行動特性が特定される。
【００５４】
また、図７には、非購入ユーザに適用されるセグメントを示す説明図が、図８には、購入ユーザに適用されるセグメントを示す説明図が記載されている。
これらの説明図にて示される３次元の座標空間における３つの座標軸は、各行動特性に対応しており、各行動特性は複数の区分に区分けされる。そして、各行動特性の区分の組み合わせに対応してセグメントが設けられており、３次元の座標空間に示された点線の立体の各々がセグメントに相当する。
【００５５】
そして、図７では、一例として、“初回訪問時からの経過日数”という行動特性は、“２０日以内”，“２０〜３０日以内”，“３０日〜”という３つの区分に区分けされている。また、“ショッピングサイトへのＰＶ数”という行動特性は、“１５回未満”，“１５回以上”という２つの区分に区分けされている。また、“直近７日間における訪問の有無”という行動特性は、“直近７日間訪問あり”，“直近７日間訪問なし”という２つの区分に区分けされている。
【００５６】
また、図８では、一例として、“初回購入時からの経過日数”という行動特性は、“２５日以内”，“２５〜３５日以内”，“３５日〜”という３つの区分に区分けされている。また、“ショッピングサイトでの累積購入金額”という行動特性は、“２万円未満”，“２万円以上”という２つの区分に区分けされている。また、“直近６日間における購入の有無”という行動特性は、“直近６日間購入あり”，“直近６日間購入なし”という２つの区分に区分けされている。
【００５７】
タグ配信サーバ用アプリは、ユーザ情報に基づきユーザの各行動特性がどの区分に属するかを判別すると共に、判別された各行動特性の区分の組み合わせに対応するセグメントを特定し、該セグメントをユーザに適用されるセグメントとする。
【００５８】
なお、非購入ユーザや購入ユーザに対応する各セグメントを定める行動特性や、各行動特性の区分等を示すセグメント設定情報は、セグメントＤＢ５０に記憶されている。タグ配信サーバ用アプリは、セグメントＤＢ５０にアクセスしてセグメント設定情報を参照し、セグメント設定情報に基づき、ユーザに適用されるセグメントを決定する。
【００５９】
Ｓ１３０では、タグ配信サーバ２０のタグ配信サーバ用アプリは、Ｓ１２０で受信したユーザ情報に含まれているユーザ端末１０の識別情報や、ユーザエージェントや、行動情報等をテキストデータとして保存する。また、タグ配信サーバ用アプリは、ユーザに適用するセグメントに対応付けられている１又は複数の媒体タグを特定する。その後、タグ配信サーバ用アプリは、特定した媒体タグをユーザ端末に送信する（Ｓ１３５）。
【００６０】
この媒体タグには、媒体サーバ８０からの広告の再配信を受けるためや、コンバージョン計測等のためにユーザ端末１０が行うべき処理が、例えばＪａｖａＳｃｒｉｐｔにより記述されている。
【００６１】
なお、各セグメントと媒体タグとの対応関係は、媒体タグＤＢ６０に記憶されており、タグ配信サーバ用アプリは、媒体タグＤＢ６０にアクセスし、適用されるセグメントに対応付けられている１又は複数の媒体タグを特定する。
【００６２】
このほかにも、タグ配信サーバ用アプリは、今回適用されるセグメントを特定すると共に、レポート用ＤＢ７０に記憶されている情報（詳細は後述する）に基づき、ユーザ端末１０に適用されているセグメントがどのように推移しているかを特定しても良い。そして、適用されたセグメントの推移のパターンに応じて、１又は複数の媒体タグを選択しても良い。
【００６３】
タグ配信サーバ用アプリは、ユーザ端末１０に適用されるセグメントに基づき、ユーザが例えばロイヤルカスタマ（継続的に商品やサービスを購入するユーザ）であるか否かを把握することができる。さらに、ユーザ端末１０に適用されたセグメントの推移に基づき、ユーザがロイヤルカスタマであった時期を把握すること等が可能である。
【００６４】
適用されるセグメントの推移のパターンに応じて１又は複数の媒体タグを選択し、選択した媒体タグをユーザ端末１０に送信することで、例えば、直前までロイヤルカスタマであったユーザと、以前にロイヤルカスタマであったユーザとに対し、異なる媒体タグを提供することができる。
【００６５】
Ｓ１４０では、ユーザ端末１０のブラウザは、受信した媒体タグを実行する。これにより、ブラウザは、媒体タグに対応する媒体サーバ８０から広告の再配信を受けるための処理を実行し、媒体サーバ８０に対し広告の再配信に必要な情報が送信されると共に、Ｃｏｏｋｉｅ１２ａの更新等がなされる。また、媒体サーバ８０によるコンバージョン計測等も行われる。
【００６６】
その結果、以後、ショッピングサイトへの最新のアクセス結果を反映した状態で、受信した媒体タグに対応する媒体サーバ８０による広告の再配信がなされる。具体的には、ブラウザは、受信した媒体タグに対応する媒体サイトや、該媒体サーバ８０が広告を配信しているサイトにアクセスすると、該媒体サーバ８０からユーザ端末１０に対し、ショッピングサイトで閲覧した商品やサービスの広告が再配信され、ブラウザにて表示される。
【００６７】
Ｓ１４５では、タグ配信サーバ２０のタグ配信サーバ用アプリは、ユーザ端末１０に対し、Ｃｏｏｋｉｅ１２ａの更新を指示すると共に、ユーザに適用されたセグメントを示す適用情報を送信し、該適用情報をＣｏｏｋｉｅ１２ａに保存するよう指示する。
【００６８】
Ｓ１５０では、ユーザ端末１０のブラウザは、タグ配信サーバ２０からの更新指示に応じてＣｏｏｋｉｅ１２ａを更新する。具体的には、ブラウザは、ショッピングサイトへのアクセス結果に基づき、Ｃｏｏｋｉｅ１２ａに保存されているショッピングサイトに関するユーザの行動情報を更新する。また、受信したショッピングサイトに関するセグメントの適用情報を、Ｃｏｏｋｉｅ１２ａに保存する。
【００６９】
Ｓ１５５では、タグ配信サーバ２０のタグ配信サーバ用アプリは、Ｓ１３０にてテキストデータとして保存されたユーザ端末１０の識別情報や、ユーザエージェントや、行動情報等に基づきレポート用ＤＢ７０を更新する。なお、Ｓ１５５の処理は、定期的なタイミング（例えば、所定時刻になった際や、所定の日時となった際）に行われても良い。
【００７０】
具体的には、タグ配信サーバ用アプリは、上記テキストデータから、例えば、ユーザ端末１０の識別情報と、当該ショッピングサイトにアクセスした際に用いたＵＲＬパラメータや、ユーザエージェント等を特定する。また、このほかにも、当該ショッピングサイトに関するユーザの行動情報（例えば、当該ショッピングサイトの初回訪問日からの経過日数や、累積訪問回数や、初回購入日からの経過日数や、累積購入回数や、累積購入金額や、累積ＰＶ数等）を特定する。
【００７１】
そして、タグ配信サーバ用アプリは、例えば、現在の年月日時と、特定した上記情報と、今回送信した媒体タグに係るセグメントの適用情報等を対応付けた状態で、レポート用ＤＢ７０に記憶する。
【００７２】
（２）セグメント更新処理について
次に、広告管理サーバ２を構成する管理画面サーバ３０が、セグメントＤＢ５０に記憶されているセグメント設定情報を更新するセグメント更新処理について、図９のフローチャートを用いて説明する。なお、本処理は、操作部３５を介して受け付けた操作に応じて開始される。
【００７３】
Ｓ２００では、管理画面サーバ３０の管理画面サーバ用アプリは、操作部３５から入力された操作に基づき、非購入ユーザ又は購入ユーザに対応するセグメントを定める行動特性を設定し、Ｓ２０５に処理を移行する。
【００７４】
なお、管理画面サーバ用アプリは、非購入ユーザ又は購入ユーザに対応するセグメントを定める行動特性として、図７，８のように３つの行動特性を設定しても良いし、１、２、又は４以上の行動特性を設定しても良い。
【００７５】
Ｓ２０５では、管理画面サーバ用アプリは、ユーザからの指示に応じて各行動特性の区分を設定し、Ｓ２１０に処理を移行する。
ここで、セグメントを定める行動特性として３つの行動特性が設定されている場合であれば、管理画面サーバ用アプリは、次のようにして区分を設定しても良い。
【００７６】
すなわち、管理画面サーバ用アプリは、管理画面サーバ３０の表示部３４に、各行動特性に対応付けられた３つの座標軸からなる３次元の座標空間（図７，８参照）を表示し、各座標軸上に対応する行動特性の区分を表示すると共に、座標空間の内部に、セグメントに対応する立体の領域を表示しても良い。
【００７７】
そして、管理画面サーバ用アプリは、操作部３５を介して、行動特性の区分を定める閾値等の入力を受け付け、これに応じて対応する座標軸上の区分の表示やセグメントの表示を更新しても良い。
【００７８】
また、セグメントを定める行動特性として２つの行動特性が設定されている場合であれば、管理画面サーバ用アプリは、次のようにして区分を設定しても良い。
すなわち、管理画面サーバ用アプリは、管理画面サーバ３０の表示部３４に、各行動特性に対応付けられた２つの座標軸からなる２次元の座標平面を表示し、各座標軸上に対応する行動特性の区分を表示すると共に、座標空間の内部に、セグメントに対応する平面領域を表示しても良い。
【００７９】
そして、管理画面サーバ用アプリは、操作部３５を介して、行動特性の区分を定める閾値等の入力を受け付け、これに応じて対応する座標軸上の区分の表示やセグメントの表示を更新しても良い。
【００８０】
Ｓ２１０では、管理画面サーバ用アプリは、新たに設定した行動特性や区分を示すセグメント設定情報をセグメントＤＢ５０に記憶し、本処理を終了する。
（３）レポート生成処理について
次に、広告管理サーバ２を構成する集計サーバ４０が、レポート用ＤＢ７０に保存されている情報に基づき、ショッピングサイトに関するレポートを生成するレポート生成処理について、図１０のフローチャートを用いて説明する。なお、本処理は、操作部４５を介して受け付けた操作に応じて開始される。
【００８１】
Ｓ３００では、集計サーバ４０の集計サーバ用アプリは、操作部４５から入力された操作に基づき、レポートの作成を行うショッピングサイトを設定する。
Ｓ３０５では、集計サーバ用アプリは、レポート用ＤＢ７０に記憶されている情報に基づき、設定されたショッピングサイトに関するレポートを生成し、記憶部４２に保存すると共に、該レポートを表示部４４に表示し、本処理を終了する。なお、該レポートは、ｃｓｖ形成のファイルとして構成されていても良い。
【００８２】
このレポートは、例えば、ショッピングサイトに対するＰＶ数の合計や、所定期間毎（例えば、日単位や週単位）でのＰＶ数の平均値や、ＵＵ（ショッピングサイトを閲覧したユーザ）数の合計や、所定期間毎でのＵＵ数の平均値等を示していても良い。
【００８３】
また、このレポートは、例えば、ショッピングサイトに対する訪問数（ユーザにより開始されたセッションの数）の合計や、所定期間毎での訪問数の平均値を示しても良い。
また、このレポートは、ショッピングサイトでの商品やサービスの購入回数の合計や、所定期間毎での購入回数の平均値や、購入金額の合計や、所定期間毎での購入金額の平均値を示していても良い。
【００８４】
また、このレポートは、例えば、ショッピングサイトにアクセスしたユーザに対して適用されたセグメントに関する情報を示していても良い。
具体的には、例えば、ショッピングサイトへのＵＵに対し各セグメントが適用された回数を示していていも良い。
【００８５】
また、例えば、適用されたセグメントの推移に関する情報を表示しても良い。
具体的には、例えば、適用されたセグメントが推移するパターンが共通するＵＵの数を示しても良い。具体例を挙げると、セグメント１〜１２が設けられている場合に、セグメント１，２の順や、セグメント１，２，３の順にセグメントが適用されたＵＵの数を示しても良い。
【００８６】
また、例えば、特定のセグメントが適用されているＵＵに関して、該セグメントが適用されるようになった時期を示しても良い。
また、例えば、過去に特定のセグメントが適用されていたＵＵに関して、該セグメントが適用されなくなった時期を表示しても良い。
【００８７】
なお、上記レポートにてセグメントに関する情報を示す場合には、例えば、各行動特性に対応付けられた３つの座標軸からなり、セグメントが配された３次元の座標空間（図７，８参照）を用いても良い。
【００８８】
［効果］
本実施形態の広告管理サーバ２によれば、ショッピングサイトにアクセスしたユーザ端末１０には、ユーザのセグメントに応じた媒体サーバ８０による広告の再配信を行うための処理が記述された媒体タグが送信される。
【００８９】
このため、ユーザ端末１０にて受信した媒体タグが実行されると、ユーザに合致した媒体サーバ８０により広告の再配信が行われ、その結果、広告の再配信を効果的に行うことができる。
【００９０】
［他の実施形態］
（１）本実施形態では、広告管理サーバ２は、タグ配信サーバ２０，管理画面サーバ３０，集計サーバ４０等から構成されているが、これに限らず、広告管理サーバ２は、単一のサーバや、２台又は４台以上のサーバから構成されていても良い。
【００９１】
また、広告管理サーバ２を構成する各データベースは、他のサーバとは別体となっているが、他のサーバに構築されていても良い。
このような構成を有する場合であっても、同様の効果を得ることができる。
【００９２】
（２）また、本実施形態における媒体タグ送信処理では、販売サーバ９０により運営されるショッピングサイトの閲覧に起因する広告の再配信を行うための媒体タグが送信される。
【００９３】
しかしながら、ショッピングサイトに限らず、同様にして、例えば、ポータルサイトや、検索サイトや、ブログ等、商品やサービスに関する情報を提供する様々な情報提供サイトの閲覧に起因する広告の再配信を行うための媒体タグを送信することも考えられる。このような場合であっても、同様の効果を得ることができる。
【００９４】
［特許請求の範囲との対応］
上記実施形態の説明で用いた用語と、特許請求の範囲の記載に用いた用語との対応を示す。
【００９５】
媒体タグ送信処理のＳ１０５〜Ｓ１２０がユーザ情報取得部の一例に、Ｓ１２０が行動情報取得部の一例に、Ｓ１２５が分類部の一例に、Ｓ１３０が選択部，判別部の一例に、Ｓ１３５が媒体タグ提供部の一例に、Ｓ１５５が行動情報記憶部の一例に相当する。
【００９６】
また、レポート生成処理のＳ３０５が、生成部の一例に相当する。
【図１】
2015170372.tif 000003
【図２】
2015170372.tif 000004
【図３】
2015170372.tif 000005
【図４】
2015170372.tif 000006
【図５】
2015170372.tif 000007
【図６】
2015170372.tif 000008
【図７】
2015170372.tif 000009
【図８】
2015170372.tif 000010
【図９】
2015170372.tif 000011
【図１０】
2015170372.tif 000012
【国際調査報告】
2015170372.tif 000013
2015170372.tif 000014
2015170372.tif 000015
2015170372.tif 000016